(57)【要約】【課題】省スペース化が可能な球払出装置及び遊技機を得る。【解決手段】球払出装置１００は、上面に開口部１０５を有する箱状とされ、貯留タンク８０から流下したパチンコ球ＰＢを受ける球受部材１０２と、球受部材１０２に形成されパチンコ球ＰＢが払い出される球払出口１１６と、球受部材１０２にパチンコ球ＰＢの直径の２倍よりも小さく直径の１倍より大きい間隔をあけて回転可能に設けられた第１スクリュー１０８及び第２スクリュー１０９を有している。ここで、球払出装置１００は、第１スクリュー１０８及び第２スクリュー１０９の間隔がパチンコ球ＰＢの直径の２倍よりも小さく且つ１倍より大きいため、２列でありながら、独立した２列のパチンコ球ＰＢの搬送路を有するものに比べて球払出装置１００を省スペース化することができる。【選択図】図４
2010207283.tif 000002
【特許請求の範囲】
【請求項１】
上面が開口した箱状とされて遊技球を貯留する貯留タンクから流下した遊技球を受ける球受部材と、
前記球受部材に形成され遊技球が払い出される球払出口と、
前記球受部材に遊技球の直径の２倍よりも小さく直径の１倍より大きい間隔をあけて回転可能に設けられた一対の回転軸と、前記一対の回転軸の外周面に遊技球の送りピッチを互いにずらして形成された螺旋羽と、を備え、前記球受部材の底面に載って前記一対の回転軸の間にある遊技球を前記球払出口に搬送する搬送部材と、
を有する球払出装置。
【請求項２】
前記一対の回転軸の間にある前記球受部材の底面には、それぞれの前記回転軸へ向けて下った傾斜面が形成されている請求項１に記載の球払出装置。
【請求項３】
前記球受部材の前記開口の開口縁は、前記一対の回転軸上にある請求項１又は請求項２に記載の球払出装置。
【請求項４】
請求項１から請求項３のいずれか１項に記載の球払出装置と、
前記球払出口から払い出された遊技球を１列で流下させる球通路と、
を有する遊技機。
【発明の詳細な説明】
【技術分野】
【０００１】
本発明は、球払出装置及び遊技機に関する。
【背景技術】
【０００２】
従来、遊技球を用いて遊技を行うパチンコ機等の遊技機では、遊技が行われる遊技盤とは反対の裏面側に、島設備から遊技球が供給される貯留タンクが設けられている。ここで、貯留タンクの球排出口に球払出装置を設け、球払出装置によって、決められた数の遊技球を払い出す遊技機がある（例えば、特許文献１参照）。
【０００３】
特許文献１の遊技機の球払出装置は、一対のリードスクリューを略水平面で隣接して配置し、リードスクリューの端部に漏斗状の球流落口を形成して、２列で流下してきた遊技球を２列で搬送すると共に球流落口で１列に合流させて払い出している。
【０００４】
しかし、特許文献１の遊技機の球払出装置では、球通路を１列にすると遊技球の払い出し速度が低下するため、球流落口までは必ず２列分の球通路が必要となり、省スペース化しにくかった。
【先行技術文献】
【特許文献】
【０００５】
【特許文献１】特開２０００−２４２４０
【発明の概要】
【発明が解決しようとする課題】
【０００６】
本発明は、省スペース化が可能な球払出装置及び遊技機を得ることを目的とする。
【課題を解決するための手段】
【０００７】
本発明の請求項１に係る球払出装置は、上面が開口した箱状とされて遊技球を貯留する貯留タンクから流下した遊技球を受ける球受部材と、前記球受部材に形成され遊技球が払い出される球払出口と、前記球受部材に遊技球の直径の２倍よりも小さく直径の１倍より大きい間隔をあけて回転可能に設けられた一対の回転軸と、前記一対の回転軸の外周面に遊技球の送りピッチを互いにずらして形成された螺旋羽と、を備え、前記球受部材の底面に載って前記一対の回転軸の間にある遊技球を前記球払出口に搬送する搬送部材と、を有する。
【０００８】
上記構成によれば、搬送部材の間隔が遊技球の直径の２倍よりも小さく且つ１倍より大きいため、独立した２列の遊技球の搬送路を有するものに比べて球払出装置を省スペース化することができる。また、遊技球を２列で搬送しているため、１列で搬送するものに比べて遊技球の払い出しスピードを上げることができる。さらに、２列の遊技球が一対の搬送部材の間で千鳥状に交互に並んだ状態で球払出口まで搬送されるが、各列の遊技球の搬送に時間差があるため、球払出口では遊技球が１個ずつ払い出される。これにより、球払出口で球詰まりが発生するのを抑えることができる。
【０００９】
本発明の請求項２に係る球払出装置は、前記一対の回転軸の間にある前記球受部材の底面には、それぞれの前記回転軸へ向けて下った傾斜面が形成されている。この構成によれば、遊技球には下り傾斜面に沿って一方の回転軸側へ戻ろうとする力が作用するので、例えば、一方の列のみに遊技球があり他方の列に遊技球が無いときに、遊技球が両方の列を行き交うのを抑えられ、球払い出しスピードの低下を抑えられる。
【００１０】
本発明の請求項３に係る球払出装置は、前記球受部材の前記開口の開口縁は、前記一対の回転軸上にある。この構成によれば、受部材の開口から受部材内部へ進入しようとする遊技球は、開口と回転軸との間には進入せずに一対の回転軸間に進入する。これにより、球払出口に向かわずに受部材内部に残留する遊技球を低減することができる。
【００１１】
本発明の請求項４に係る遊技機は、請求項１から請求項３のいずれか１項に記載の球払出装置と、前記球払出口から払い出された遊技球を１列で流下させる球通路と、を有する。この構成によれば、球通路が遊技球１列分のスペースのみしか占有しないので、演出用の役物等の設置スペースを拡大することができる。また、球通路は遊技球１列分のスペースでありながら、球払い出しスピードは、遊技球１列分以上のスピードとすることができる。
【発明の効果】
【００１２】
本発明は、上記構成としたので、球払出装置の省スペース化が可能となる。
【図面の簡単な説明】
【００１３】
【図１】本発明の実施形態に係るパチンコ機の斜視図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】（ａ）本発明の実施形態に係る球払出装置周辺の構成図である。（ｂ）本発明の実施形態に係る球払出装置の内部構成図である。
【図５】（ａ）、（ｂ）本発明の実施形態に係る貯留タンク及び球払出装置の平面図及び断面図である。
【図６】本発明の実施形態に係る貯留タンク及び球払出装置内の遊技球の流下状態を示す説明図である。
【発明を実施するための形態】
【００１４】
以下、本発明の実施形態に係る球払出装置及び遊技機について図面を参照して説明する。
【００１５】
（パチンコ機の構成）
図１〜図３には、遊技機としてのパチンコ機１０が示されている。パチンコ機１０は、パチンコ機１０の外郭を構成するとともにパチンコホールの島設備（図示省略）に設置される矩形状の外枠１２を備えている。外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００１６】
内枠１４は、外枠１２の左上角部と下飾り１６の左上角部とに設けられた一対のヒンジ部１８、２０に、左側端部が軸支されて開閉可能に取り付けられている。内枠１４の前面上部には、パチンコ機１０の前面上部を構成するガラス枠２２が配置されている。ガラス枠２２には、縦長略楕円形の窓部２４にガラス板２６が装着されるとともに、左側端部が内枠１４に軸支されて開閉可能に取り付けられている。
【００１７】
ガラス枠２２の裏面側となる内枠１４の前面上部には、矩形状の開口部１５が形成されている。この内枠１４の開口部１５には、遊技盤Ｇが着脱（交換）可能にセットされている。遊技盤Ｇは、内枠１４に対して閉塞されたガラス枠２２によって覆われている。また、遊技盤Ｇの盤面上に設けられた遊技領域ＰＡが、パチンコ機１０の正面側から窓部２４のガラス板２６を通して視認可能とされている。
【００１８】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００１９】
一方、内枠１４の前面下部には、パチンコ機１０の前面下部を構成する皿ユニット４０が配置されている。皿ユニット４０は、皿ユニット４０の本体部を構成するベース４１の左側端部が、内枠１４に軸支されて開閉可能に取り付けられている。ベース４１の前面上部には、遊技球としてのパチンコ球を遊技盤Ｇへ向けて発射するために貯留して、後述する発射装置６０へ供給する上皿４２が突設されている。また、ベース４１の前面下部における上皿４２の左下には、上皿４２に貯留しきれないパチンコ球を貯留するための下皿４４が突設されている。
【００２０】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。また、ベース４１によって構成された上皿４２の奥壁面における右側端部には、内枠１４の裏面に設けられた球払出装置１００（図３参照）から払い出された貸し球や賞球が排出される球排出口４８が形成されており、下皿４４の奥壁面における右側端部には、上皿４２に貯留しきれないパチンコ球が排出される球排出口４９が形成されている。
【００２１】
ベース４１の前面右下部には、発射装置６０と電気的に接続されて打球の発射力（飛距離）を調整する発射ハンドル５４が取り付けられている。ベース４１の前面左下部には、下皿４４に隣接して灰皿５６が設けられている。また、ベース４１の前面略中央は矩形箱状に前面へ膨出しており、内部には、遊技の進行に応じて効果音を出力する重低音用のスピーカ（図示省略）が設けられている。このスピーカから出力された音は、ベース４１の前面に形成された開口部５８から出力される。
【００２２】
図２に示すように、ベース４１の裏面における略中央部には、上皿４２に貯留しきれないパチンコ球を下皿４４へ流下させる球通路７０が設けられている。球通路７０は、上端部に通路入口７２が形成され、下端部に形成された通路出口（図示省略）は、前述の球排出口４９と連通している。また、球通路７０よりも回転支軸（ヒンジ部２０）に近い側には、球送り装置４５が取り付けられている。
【００２３】
一方、皿ユニット４０の後側（背面側）では、遊技盤Ｇの左下に発射装置６０が配置されている。発射装置６０は、発射ハンドル５４により打球の発射力（飛距離）が調整され、遊技領域ＰＡへ向けて矢印Ａ方向にパチンコ球を発射するようになっている。また、遊技盤Ｇの略中央下方から右下に掛けては、貯球タンク７４が内枠１４に着脱可能に取り付けられている。
【００２４】
貯球タンク７４は、上面が開口した箱型とされ、底面が正面視にて左側から右側へ向けて下り傾斜している。貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出すオーバーフロー部７８が形成されている。貯球タンク７４及びオーバーフロー部７８の下側には、パチンコ機１０の本体を構成する壁部７３が形成されている。
【００２５】
図２及び図３に示すように、内枠１４の裏面における開放側（裏面視左側）の側端部には、内枠１４及びガラス枠２２を施錠するための施錠装置６４が取付けられている。施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。施錠装置６４には、シリンダー錠６６が設けられており、シリンダー錠６６は、皿ユニット４０の前面右上に露出されている。
【００２６】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。さらに、ガラス枠２２を開放することで露出されるロック装置６８のロック解除レバー６９を操作すると、内枠１４にロックされていた皿ユニット４０がロック解除されて開放可能となる。
【００２７】
一方、皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００２８】
図３に示すように、内枠１４の裏面における上部には、パチンコホールの島設備から供給されたパチンコ球を貯留するための貯留タンク８０が設けられている。また、内枠１４裏面の回転支軸側（裏面右側）の側端部には、貯留タンク８０に貯留されたパチンコ球を貯球タンク７４（図２参照）側へ流下させる球通路８４が延設されている。貯留タンク８０と球通路８４の間には、パチンコ球を予め決められた所定数ずつ払い出す球払出装置１００が取り付けられている。なお、球払出装置１００と球通路８４の間には、図示を省略するが、球払出装置１００から払い出されるパチンコ球の数量をカウントする球検知センサが設けられている。
【００２９】
球通路８４の下側には、前述の発射装置６０が取付けられている。発射装置６０の左側には、球払出装置１００を動作制御してパチンコ球の払い出しを実行及び停止させる制御基板８８が設けられている。制御基板８８は、払出停止制御と払出実行制御を実行可能に設けられている。
【００３０】
払出停止制御の場合、制御基板８８は、球払出装置１００を駆動停止させてパチンコ球の払い出しを停止する。一方、払出実行制御の場合、制御基板８８は、球払出装置１００を駆動し、貯留タンク８０から球払出装置１００を経由して球通路８４へ、パチンコ球を貸し球又は賞球として払い出す。そして、球通路８４を通り貯球タンク７４へ誘導されたパチンコ球は、貯球タンク７４内を上流側（左側）から下流側（右側）へ転動して球排出口４８から排出され、上皿４２に貯留される。
【００３１】
図１及び図２に示すように、パチンコ球は、上皿４２内を下流側（左側）へ流下しつつ整列通路４６により１列に整列され、遊技者の発射ハンドル５４の操作により、球送り装置４５により１球ずつ発射装置６０に送り込まれる。発射装置６０に送り込まれたパチンコ球は、発射装置６０によって遊技盤Ｇの遊技領域ＰＡへ発射される。このパチンコ球が遊技領域ＰＡを自重落下する過程で入賞又は外れとなることにより、遊技盤Ｇにてパチンコ球を用いた遊技が行われる。
【００３２】
遊技の進行に伴い、大量のパチンコ球が賞球として払い出されるなどして上皿４２が満タンになると、上皿４２に貯留しきれないパチンコ球は、貯球タンク７４に貯留される。さらに貯球タンク７４が満タンになると、パチンコ球はオーバーフロー部７８から溢れ出す。この貯球タンク７４から溢れ出したパチンコ球は、手前の通路入口７２に落下して球通路７０を流下し、球排出口４９から排出されて下皿４４に貯留される。
【００３３】
また、遊技の終了時などに、上皿４２の前面左側に設けられた球抜きレバー５０を操作すると、整列通路４６の最下流部が開放して、上皿４２に貯留されたパチンコ球が球通路７０へ排出され下皿４４へ流下する。さらに、下皿４４がパチンコ球で満タンになったときや遊技の終了時などに、下皿４４の前面下側に設けられた下皿用球抜きレバー５２を操作すると、下皿４４底面の一部が開放して、下皿４４に貯留されたパチンコ球が下皿４４の下方に配置された図示しない球箱へ排出される。
【００３４】
一方、図２に示すように、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００３５】
シャッター板９０、９２は、皿ユニット４０が閉塞されると各々下方へ移動して、タンク出口７６と球排出口４８とを開放し連通させる。また、シャッター板９０、９２は、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。このシャッター板９０、９２によって、皿ユニット４０を開放した際に、貯球タンク７４及び上皿４２からパチンコ球が流出しないよう塞き止められる。
【００３６】
一方、図４（ａ）に示すように、貯留タンク８０は、上面が開放された箱状となっており、底面８０Ａがパチンコ機１０の裏面視にて右手前側へ傾斜している。また、貯留タンク８０の右側面手前は右方向へ突出しており、球排出部８２が形成されている。さらに、球排出部８２の底面には、貫通穴８３が形成されている。これにより、島設備から貯留タンク８０へ流下したパチンコ球ＰＢは、球排出部８２へ流れ、貫通穴８３から球払出装置１００へ流下するようになっている。
（球払出装置の構成）
図４（ａ）、（ｂ）に示すように、球払出装置１００は、球排出部８２の下方に配置されており、上面が開口した箱状の球受部材１０２を有している。球受部材１０２は、上面を覆って蓋体１０４が取り付けられており、蓋体１０４には矩形状の開口部１０５が形成されている。また、球受部材１０２の前後方向（パチンコ機１０の正面視にて前後方向）の側壁１０６Ａ、１０６Ｂには、貫通孔（図示省略）が形成されており、この貫通孔に第１スクリュー１０８及び第２スクリュー１０９の両端部が回転可能に支持されている。
【００３７】
第１スクリュー１０８は、回転軸としての第１シャフト１０８Ａを有しており、第１シャフト１０８Ａの外周面には、螺旋羽としての第１羽部１０８Ｂが螺旋状に設けられ第１シャフト１０８Ａと一体化されている。同様にして第２スクリュー１０９は、回転軸としての第２シャフト１０９Ａを有しており、第２シャフト１０９Ａの外周面には、螺旋羽としての第２羽部１０９Ｂが螺旋状（第１羽部とは逆の螺旋方向）に設けられ第２シャフト１０９Ａと一体化されている。
【００３８】
第１羽部１０８Ｂと第２羽部１０９Ｂの断面の最大径は、球受部材１０２の内壁面と接触しない大きさとなっている。また、第１シャフト１０８Ａと球受部材１０２の内壁面との距離、及び第２シャフト１０８Ａと球受部材１０２の内壁面との距離は、パチンコ球ＰＢの直径よりも小さくなっており、これらの隙間にパチンコ球ＰＢが進入できないようになっている。これにより、球受部材１０２に流下したパチンコ球ＰＢは、第１スクリュー１０８と第２スクリュー１０９の間に配置される。
【００３９】
ここで、図５（ｂ）に示すように、パチンコ球ＰＢの直径をｄ１（＝１１ｍｍ）として、第１シャフト１０８Ａと第２シャフト１０９Ａの間隔ｄ２は、パチンコ球の直径ｄ１の２倍よりも小さく直径ｄ１の１倍より大きくなっている。即ち、１×ｄ１＜ｄ２＜２×ｄ１となるように第１シャフト１０８Ａ、第２シャフト１０９Ａが並設されている。なお、ここでの間隔ｄ２は、第１シャフト１０８Ａと第２シャフト１０９Ａの軸中心の間隔ではなく、第１シャフト１０８Ａの表面から第２シャフト１０９Ａの表面までの距離としている。
【００４０】
また、球受部材１０２の開口（蓋体１０４の開口部１０５）の開口縁は、第１シャフト１０８Ａ及び第２シャフト１０９Ａの軸上に配置されており、開口部１０５の横幅ｄ３は、第１シャフト１０８Ａの軸中心と第２シャフト１０９Ａの軸中心との間の距離とほぼ等しくなっている。これにより、開口部１０５から球受部材１０２に流下したパチンコ球ＰＢが、第１スクリュー１０８と第２スクリュー１０９の間に進入するようになっている。
【００４１】
図４（ｂ）に示すように、第１羽部１０８Ｂと第２羽部１０９Ｂは、パチンコ球ＰＢの送りピッチ（送り量）Ｐ１、Ｐ２が等しく（Ｐ１＝Ｐ２）なっているが、互いに送りピッチを送り周期の半分でずらした配置となっている。また、球受部材１０２の側壁１０６Ｂの外側で、第１シャフト１０８Ａと第２シャフト１０９Ａの一方の端部には、それぞれ第１ギヤ１１２と第２ギヤ１１４が取り付けられている。
【００４２】
図４（ａ）、（ｂ）、及び図５（ａ）に示すように、第１ギヤ１１２と第２ギヤ１１４は噛合しており、第１ギヤ１１２は、球排出部８２の外枠１２側に設けられたモータ１１０によって回転駆動又は停止されるようになっている。第１ギヤ１１２の回転方向は、パチンコ機１０の裏面視にて反時計回り（図５（ｂ）の矢印Ｃ方向）となっており、第２ギヤ１１４の回転方向は、パチンコ機１０の裏面視にて時計回り（図５（ｂ）の矢印Ｂ方向）となっている。なお、１度の球払い出し動作につき、球払出装置１００から払い出されるパチンコ球ＰＢの個数は予め決められており、モータ１１０は、予め決められた個数のパチンコ球ＰＢが払い出されるように、第１ギヤ１１２を回転させる。
【００４３】
ここで、第１羽部１０８Ｂと第２羽部１０９Ｂの巻き方向が逆であり、且つ、第１ギヤ１１２と第２ギヤ１１４が逆方向に回転するため、第１スクリュー１０８で搬送されるパチンコ球ＰＢの搬送方向と、第２スクリュー１０９で搬送されるパチンコ球ＰＢの搬送方向は一致している。なお、第１ギヤ１１２がモータ１１０によって直接回転駆動されるものとして説明しているが、これに限らず、第２ギヤ１１４を直接回転駆動するようにしてもよい。
【００４４】
一方、図４（ｂ）に示すように、球受部材１０２の底面の第１スクリュー１０８及び第２スクリュー１０９で挟まれた領域で、且つ、第１スクリュー１０８及び第２スクリュー１０９によるパチンコ球ＰＢの搬送方向下流側には、下方へ貫通した矩形状の球払出口１１６が形成されている。
【００４５】
球払出口１１６は、１個のパチンコ球ＰＢが縁部と接触せずに通過可能な大きさとなっているが、２個のパチンコ球ＰＢは同時に通過できない大きさとなっている。ここで、球払出口１１６は、断面下方向へ向けて徐々に開口面積が小さくなっており、球払出口１１６の開口縁の横幅の最大値（最上部）が１６．５ｍｍ、最小値（最下部）が１２ｍｍとなっている。
【００４６】
また、球受部材１０２の底面で、第１シャフト１０８Ａと第２シャフト１０９Ａの間の領域には、第１シャフト１０８Ａ又は第２シャフト１０９Ａへ向けてそれぞれ下った傾斜面１１８、１１９が形成されている。
【００４７】
次に、本発明の実施形態の作用について説明する。
【００４８】
図５（ａ）、（ｂ）、及び図６に示すように、パチンコホールの島設備（図示省略）から貯留タンク８０に流下して貯留されたパチンコ球ＰＢは、底面８０Ａの傾斜により球排出部８２へ流れ、貫通穴８３及び開口部１０５を通って球払出装置１００の球受部材１０２内に流下する。球受部材１０２内に流下したパチンコ球ＰＢは、自重により傾斜面１１８、１１９に沿って移動し、第１スクリュー１０８の複数の第１羽部１０８Ｂの間、又は第２スクリュー１０９の複数の第２羽部１０９Ｂの間に配置される。
【００４９】
続いて、制御基板８８（図３参照）によりモータ１１０が駆動され、第１ギヤ１１２が回転すると、第１ギヤ１１２と噛合した第２ギヤ１１４が回転して、第１スクリュー１０８及び第２スクリュー１０９が回転する。これにより、球受部材１０２の底面に載って第１スクリュー１０８及び第２スクリュー１０９の間にあるパチンコ球ＰＢが、球払出口１１６に搬送される。
【００５０】
第１スクリュー１０８で搬送されるパチンコ球ＰＢと、第２スクリュー１０９で搬送されるパチンコ球ＰＢは、第１羽部１０８Ｂと第２羽部１０９Ｂの送りピッチが送り周期の半分でずれているため、互いに接触することなく交互に（千鳥状に）並んで搬送される。そして、球払出口１１６に到達したパチンコ球ＰＢは、第１スクリュー１０８又は第２スクリュー１０９から球払出口１１６を通って球通路８４へ払い出しされる。球通路８４へ払い出されたパチンコ球ＰＢは、上皿４２（図１参照）へ排出される。
【００５１】
ここで、球払出装置１００では、第１スクリュー１０８と第２スクリュー１０９の間隔がパチンコ球ＰＢの直径の２倍よりも小さく且つ１倍より大きいため、パチンコ機１０の裏面視にて２列のパチンコ球ＰＢが重なったように配置される。これにより、独立した２列のパチンコ球ＰＢの搬送路を有するものに比べて、球払出装置を省スペース化することができる。
【００５２】
また、球払出装置１００では、パチンコ球ＰＢを２列で搬送しているため、１列で搬送するものに比べて、球払い出しスピードを上げることができる。さらに、球払出装置１００では、パチンコ球が第１スクリュー１０８と第２スクリュー１０９の間で千鳥状に並んだ状態で球払出口１１６まで搬送されるが、各列のパチンコ球ＰＢの搬送ピッチがずれて時間差があるため、球払出口１１６ではパチンコ球ＰＢが１個ずつ払い出される。これにより、球払出口１１６で球詰まりが発生するのを抑えることができる。
【００５３】
また、球払出装置１００では、球受部材１０２の底面に山状の傾斜面１１８、１１９が設けられているため、パチンコ球ＰＢには、自重により、傾斜面１１８、１１９に沿って第１シャフト１０８Ａ又は第２シャフト１０９Ａへ戻ろうとする力が作用する。これにより、例えば、第１スクリュー１０８のみにパチンコ球ＰＢがあり、第２スクリュー１０９にパチンコ球ＰＢが無いときに、パチンコ球ＰＢが傾斜面１１８、１１９を乗り越えず、両方の列を行き交うのを抑えられるので、球払い出しスピードの低下を抑えられる。
【００５４】
さらに、球払出装置１００では、開口部１０５から球受部材１０２内へ進入しようとするパチンコ球ＰＢは、開口部１０５と第１スクリュー１０８との間、又は開口部１０５と第２スクリュー１０９との間には進入せず、第１スクリュー１０８と第２スクリュー１０９の間に進入する。これにより、球払出口１１６に向かわずに球受部材１０２内に残留しようとするパチンコ球ＰＢを低減することができる。
【００５５】
また、パチンコ機１０では、球通路８４がパチンコ球ＰＢ１列分のスペースのみしか占有しないので、演出用の役物等の設置スペースを拡大することができる。なお、パチンコ機１０では、球通路８４がパチンコ球ＰＢ１列分のスペースでありながら、球払い出しスピードをパチンコ球ＰＢ１列分以上のスピードとすることができる。これにより、パチンコ機１０の省スペース化と球払い出しスピードの向上とを両立させることができる。
【００５６】
なお、本発明は上記の実施形態に限定されない。
【００５７】
貯留タンク８０、球払出装置１００、及び球通路８４の取り付け位置は、右下に向かうものに限定されず、パチンコ機１０のパチンコ球ＰＢの流下方向に合わせて、左下に向かうものであってもよい。この場合、各部材を左右逆転させた形状とすればよい。
【００５８】
球通路８４は、経路長によっては、蛇行させた形状ではなく、直線状であってもよい。
【符号の説明】
【００５９】
１０  パチンコ機（遊技機）
８０  貯留タンク（貯留タンク）
８２  球受部材（球受部材）
８４  球通路（球通路）
１００  球払出装置（球払出装置）
１０５  開口部（開口）
１０８  第１スクリュー（搬送部材）
１０８Ａ  第１シャフト（回転軸）
１０８Ｂ  第１羽部（螺旋羽）
１０９  第２スクリュー（搬送部材）
１０９Ａ  第２シャフト（回転軸）
１０９Ｂ  第２羽部（螺旋羽）
１１６  球払出口（球払出口）
１１８  傾斜面（傾斜面）
１１９  傾斜面（傾斜面）
ＰＢ  パチンコ球（遊技球）
【図１】
2010207283.tif 000003
【図２】
2010207283.tif 000004
【図３】
2010207283.tif 000005
【図４】
2010207283.tif 000006
【図５】
2010207283.tif 000007
【図６】
2010207283.tif 000008